【手続補正書】
【提出日】令和3年5月7日(2021.5.7)
【手続補正１】
【補正対象書類名】特許請求の範囲
【補正対象項目名】全文
【補正方法】変更
【補正の内容】
【特許請求の範囲】
【請求項１】
調整電圧を受け取る領域に分布した複数のスイッチであって、前記複数のスイッチの各々はＮ個（Ｎは整数）の抵抗値のうち１つの抵抗値を有し、前記複数のスイッチは、未調整電圧を受け取るように接続されている、複数のスイッチと、
複数のスイッチ制御ラインであって、前記複数のスイッチ制御ラインは、前記複数のスイッチ制御ラインの各々の値に従って、前記複数のスイッチのうち選択されたスイッチを選択的にイネーブルするように接続されており、前記複数のスイッチの各々は、前記複数のスイッチ制御ラインのうち１つのスイッチ制御ラインを受け取るように接続されており、前記複数のスイッチのうち選択されたスイッチは、前記未調整電圧を前記調整電圧にまとめて変換するように接続されている、複数のスイッチ制御ラインと、
第１グループの制御ラインと第２グループの制御ラインとを受け取り、前記第１グループの制御ライン及び前記第２グループの制御ラインのうち選択された一方をスイッチ制御ラインとして供給するように接続されたセレクタ回路と、を備える、
分布型電圧レギュレータ。
【請求項２】
前記調整電圧を受け取る領域に亘って分布した複数のドループ検出器回路であって、前記複数のドループ検出器回路の各々は、前記調整電圧がドループ閾値電圧を下回ったことを検出することによってシステム負荷の突然の増加を示し、そのドループ検出指標を供給するように構成されている、複数のドループ検出器回路をさらに備え、
前記セレクタ回路は、前記ドループ検出指標がアサートされたことに応じて前記第１グループの制御ラインを選択し、前記ドループ検出指標がアサートされていないことに応じて前記第２グループの制御ラインを選択し、前記ドループ検出指標は、前記複数のドループ検出器回路のうち１つのドループ検出器回路によって供給される、
請求項１の分布型電圧レギュレータ。
【請求項３】
前記第１グループの制御ラインと前記第２グループの制御ラインとを前記セレクタ回路に供給するコントローラをさらに備える、
請求項１又は２の分布型電圧レギュレータ。
【請求項４】
前記セレクタ回路は、前記未調整電圧を受け取るように接続されている、
請求項１〜３の何れかの分布型電圧レギュレータ。
【請求項５】
前記複数のスイッチは、前記調整電圧が供給される領域に亘って等間隔の行に細粒パターンで分布し、前記等間隔の行は約２０〜３０ミクロン離れている、
請求項１〜４の何れかの分布型電圧レギュレータ。
【請求項６】
Ｎ個の抵抗値のうち第１抵抗値を有する前記複数のスイッチの第１グループは、前記調整電圧を受け取る領域に亘って第１グリッドパターンで分布し、
Ｎ個の抵抗値のうち第２抵抗値を有する前記複数のスイッチの第２グループは、前記調整電圧を受け取る領域に亘って第２グリッドパターンで分布する、
請求項１〜５の何れかの分布型電圧レギュレータ。
【請求項７】
前記スイッチ制御ラインの最上位ビットに対応する第１制御ラインは、第１抵抗を有する第１数のスイッチに接続されており、
前記スイッチ制御ラインの別のビットに対応する第２制御ラインは、第２抵抗を有する第２数のスイッチに接続されており、前記第２抵抗は前記第１抵抗よりも低く、前記第２数は前記第１数よりも大きい、
請求項１〜６の何れかの分布型電圧レギュレータ。
【請求項８】
前記スイッチ制御ラインを再駆動するためのバッファであって、前記未調整電圧に接続されたバッファをさらに備える、
請求項１〜７の何れかの分布型電圧レギュレータ。
【請求項９】
前記スイッチによって供給される前記調整電圧は、前記調整電圧が供給される第１ロジックに直接接続されており、前記第１ロジックは、前記スイッチに隣接しており、
前記スイッチによって供給される前記調整電圧は、上部金属層に接続されており、前記上部金属層を介して、前記調整電圧によって電力供給される第２ロジックに供給される、
請求項１〜８の何れかの分布型電圧レギュレータ。
【請求項１０】
調整電圧を生成する方法であって、
未調整電圧を、調整電圧が供給される領域上のグリッドパターンに分布した複数のスイッチに供給することと、
複数のスイッチ制御ラインのうち１つのスイッチ制御ラインを前記複数のスイッチの各々に供給して、前記複数のスイッチを構成し、前記未調整電圧から所望の調整電圧を生成することと、
第１グループの制御ラインと第２グループの制御ラインとをセレクタ回路に供給することと、
前記第１グループの制御ライン及び前記第２グループの制御ラインのうち選択された一方を前記スイッチ制御ラインとして供給することと、を含む、
方法。
【請求項１１】
前記調整電圧がドループ閾値電圧を下回ったことをドループ検出器回路で検出し、そのことを示すドループ検出信号を供給することと、
前記ドループ検出信号に従って、前記セレクタ回路で前記第１グループの制御ライン及び前記第２グループの制御ラインのうち一方を前記スイッチ制御ラインとして選択することと、をさらに含む、
請求項１０の方法。
【請求項１２】
前記未調整電圧を前記セレクタ回路に供給することをさらに含む、
請求項１０又は１１の方法。
【請求項１３】
前記第１グループの制御ライン及び前記第２グループの制御ラインを制御回路から前記セレクタ回路に供給することをさらに含む、
請求項１０〜１２の何れかの方法。
【請求項１４】
前記所望の調整電圧に従ってオンになる第１抵抗値を有する第１の複数のスイッチを構成することと、
前記所望の調整電圧に従ってオンになる第２抵抗値を有する第２の複数のスイッチを構成することと、をさらに含む、
請求項１０〜１３の何れかの方法。
【請求項１５】
前記複数のスイッチ制御ラインのうち第１スイッチ制御ラインを、第１抵抗を有する第１数のスイッチに供給することと、
前記複数のスイッチ制御ラインのうち第２スイッチ制御ラインを、第２抵抗を有する第２数のスイッチに供給することであって、前記第２抵抗は前記第１抵抗よりも低く、前記第２数のスイッチは前記第１数のスイッチよりも少なくとも一桁多い、ことと、をさらに含む、
請求項１０〜１４の何れかの方法。
【請求項１６】
前記未調整電圧を複数のバッファに供給することと、
前記複数のバッファを用いて前記スイッチ制御ラインを再駆動することと、をさらに含む、
請求項１０〜１５の何れかの方法。
【請求項１７】
前記調整電圧を、前記スイッチから、前記調整電圧を受け取る領域の前記スイッチに隣接する第１ロジックに直接供給することと、
前記調整電圧を、前記スイッチから、金属層の電圧レールに供給することと、
前記調整電圧を、前記電圧レールからビアを介して、前記調整電圧を受け取る領域の第２ロジックに供給することと、をさらに含む、
請求項１０〜１６の何れかの方法。
【請求項１８】
前記複数のスイッチのうちイネーブルされたスイッチから前記調整電圧をまとめて生成することをさらに含む、
請求項１０〜１７の何れかの方法。
【請求項１９】
調整電圧を受け取る領域に亘ってグリッドパターンで分布された複数のスイッチであって、前記調整電圧を供給するために接続された前記複数のスイッチのうち何れかをイネーブルにし、前記複数のスイッチの各々が複数の異なる抵抗値のうち何れかを有する、複数のスイッチと、
前記領域に亘って分布した複数のドループ検出器回路であって、前記調整電圧が閾値電圧を下回ったことを検出し、ドループ検出信号を供給する複数のドループ検出器回路と、
複数のセレクタ回路であって、前記複数のセレクタ回路の各々は、第１グループの制御ラインと第２グループの制御ラインとを受け取り、各々のドループ検出信号に従って、前記第１グループの制御ライン及び前記第２グループの制御ラインのうち一方をスイッチ制御ラインとして選択し、前記複数のスイッチは、各々の前記スイッチ制御ラインを受け取るように接続されている、複数のセレクタ回路と、を備える、
分布型電圧レギュレータ。
【請求項２０】
分布型電圧レギュレータのコンピュータ可読記述を符号化する少なくとも１つのコンピュータ可読記憶媒体であって、
前記分布型電圧レギュレータは、
調整電圧受け取る領域内に等間隔に分布された複数のスイッチであって、前記複数のスイッチの各々はＮ個（Ｎは整数）の抵抗値のうち１つの抵抗値を有し、前記複数のスイッチは、未調整電圧を受け取るように接続されている、複数のスイッチと、
複数のスイッチ制御ラインであって、前記複数のスイッチ制御ラインは、前記複数のスイッチ制御ラインの各々の値に従って、前記複数のスイッチのうち選択されたスイッチを選択的にイネーブルするように接続されており、前記複数のスイッチの各々は、前記複数のスイッチ制御ラインのうち１つのスイッチ制御ラインを受け取るように接続されており、前記複数のスイッチのうち選択されたスイッチは、前記未調整電圧を前記調整電圧にまとめて変換するように接続されている、複数のスイッチ制御ラインと、
前記調整電圧が閾値電圧を下回ったことを検出し、ドループ検出信号を供給するドループ検出器回路と、
第１グループの制御ラインと第２グループの制御ラインとを受け取り、前記ドループ検出信号の値に従って前記第１グループの制御ライン及び前記第２グループの制御ラインのうち選択された一方を、スイッチ制御ラインとして供給するセレクタ回路と、を備える、
コンピュータ可読記憶媒体。